(57)【要約】【課題】本発明は、熱交換形換気装置において、消費エネルギを抑制する熱交換形換気装置を提供することを目的とする。【解決手段】窓枠に、室外６からの外気を室内７に吹出す給気送風手段と、室内７の内気を室外６に吹出す排気送風手段と、全熱交換換素子８により、給気送風手段により生じる給気流が流通する給気風路と排気送風手段により生じる排気流が流通する排気風路とで熱交換するものであって、給気風路内において、外気を全熱交換素子８を通過して室内７へ吹出す風路と、全熱交換素子８をバイパスし外気を室内７へ室内７へ吹出す風路とを切り替える給気ダンパ１６とを備えることを特徴とする。【選択図】図３
2018124003.tif 000002
【特許請求の範囲】
【請求項１】
採光部と、
前記採光部の外周を囲むように形成された窓枠を備え、
前記窓枠には、
外気を導入する外気導入口から前記外気を室内に吹出す第一給気口へと前記外気を流通する給気送風手段と、
内気を導入する第一内気導入口から前記内気を室外に吹出す内気吹出口へと前記内気を流通する排気送風手段と、
前記給気送風手段により生じる給気流が流通する給気風路と前記排気送風手段により生じる排気流が流通する排気風路とを顕熱または全熱を交換する熱交換素子と、を備えた熱交換形換気装置であって、
前記給気風路内において前記熱交換素子をバイパスし外気を室内へ吹出す第二給気口と、前記第一給気口へ繋がる風路と前記第二給気口へ繋がる風路とを切り替える給気風路切替手段と
を備えることを特徴とする熱交換形換気装置。
【請求項２】
室外の空気温度を検知する室外温度検知手段と、
室内の空気温度を検知する室内温度検知手段と、
前記室外温度検知手段と前記室内温度検知手段によって検知された温度により前記給気風路切替手段を切り替える給気制御手段と
を備えることを特徴とする請求項１に記載の熱交換形換気装置。
【請求項３】
前記排気風路内において前記熱交換素子をバイパスし内気を導入する第二内気導入口と、前記第一内気導入口から繋がる風路と前記第二内気導入口から繋がる風路とを切り替える排気風路切替手段と
を備えることを特徴とする請求項２に記載の熱交換形換気装置。
【請求項４】
前記室外温度検知手段と前記室内温度検知手段によって検知された温度により前記排気風路切替手段を切り替える排気制御手段と
を備えることを特徴とする請求項３に記載の熱交換形換気装置。
【請求項５】
前記第二給気口は、前記第二内気導入口よりも鉛直方向の下側に設けられたことを特徴とする請求項３または４に記載の熱交換形換気装置。
【発明の詳細な説明】
【技術分野】
【０００１】
本発明は、熱交換形換気装置に関するものである。
【背景技術】
【０００２】
近年、地球温暖化にともなって居住分野の省エネが重視されるようになってきた。住宅の消費エネルギの中では給湯、照明、空調、換気の消費エネルギが比較的大きいため、これらの消費エネルギを低減する技術が切に望まれている。
【０００３】
この中で住宅の空調負荷に着目すると、住宅の躯体から逃げる熱（冷房の場合は冷熱）と換気によって逃げる熱がある。住宅の躯体から逃げる熱は、ここ数十年での住宅の断熱、気密性能の大幅な向上により、かなり低減されるようになってきた。一方、換気によって逃げる熱を低減させるには、排気流と給気流の間で熱交換を行う熱交換形換気装置が有効である。熱交換素子は熱交換形換気装置の内部で排気流と給気流の間で熱交換を行うものである。
【０００４】
特に、空調エネルギ低減のニーズは室内と室外の温度差の大きい寒冷地域で特に熱回収効果が高いが、日本住宅の地域区分６（東京など）に属する温暖地域では、熱回収効果が小さくなり、熱交換形換気装置の熱回収による省エネルギ効果よりも熱交換形換気装置の消費電力が上回るという課題があった。これは熱交換形換気装置を天井裏などに配置させ、各居室に空気を分配させるためダクトを取り回す必要があり、ダクト内を送風するために必要な換気の動力が消費電力の負荷となるためである。
【０００５】
これらの課題に対して、熱交換形換気装置の各居室に取り回すダクトにかかる電力負荷を軽減するために、熱交換形換気装置を窓枠に埋め込みダクトレスで熱回収をしつつ換気する検討がなされてきた（例えば、特許文献１参照）。
【０００６】
これらを実現するために、この種の熱交換形換気装置は、以下のような構成となっていた。
【０００７】
図８に示すように、窓用換気装置の熱交換ユニット１０１は窓枠１０２内に室外の空気を室内へと流入するための給気風路１０３と室内の空気を室外へと流出するための排気風路１０４と給気風路１０３内に流れる給気流を通風させる給気ファン１０５と排気風路１０４内に流れる排気流を通風させる排気ファン１０６と給気流と排気流とが熱交換する熱交換素子１０７とを備えた構成となっていた。この構成にすることで、室内空気の熱を屋外空気へと伝達し、不用意な熱の放出を抑制する換気運転を実現することができる。
【先行技術文献】
【特許文献】
【０００８】
【特許文献１】特表２０１３−５２５７３２号公報
【発明の概要】
【発明が解決しようとする課題】
【０００９】
このような従来の熱交換形換気装置は、たとえば、春や秋の中間期シーズンや夏の夜間の場合、室内温度と室外温度との温度差が小さく、熱回収効果が低くなり、熱回収できるエネルギよりも給気流や排気流を熱交換素子に送風するために必要なエネルギの方が高くなり消費エネルギが増大する課題があった。
【００１０】
そこで本発明は、上記従来の課題を解決するものであり、熱回収による省エネルギ効果と熱交換形換気装置による年間を通じて消費エネルギを両立する熱交換形換気装置を提供することを目的とする。
【課題を解決するための手段】
【００１１】
そして、この目的を達成するために、本発明は、採光部と、前記採光部の外周を囲むように形成された窓枠を備え、前記窓枠には、外気を導入する外気導入口から前記外気を室内に吹出す第一給気口へと前記外気を流通する給気送風手段と、内気を導入する第一内気導入口から前記内気を室外に吹出す内気吹出口へと前記内気を流通する排気送風手段と、前記給気送風手段により生じる給気流が流通する給気風路と前記排気送風手段により生じる排気流が流通する排気風路とを顕熱または全熱を交換する熱交換素子と、を備えた熱交換形換気装置であって、前記給気風路内において前記熱交換素子をバイパスし外気を室内へ吹出す第二給気口と、前記第一給気口へ繋がる風路と前記第二給気口へ繋がる風路とを切り替える給気風路切替手段を備えるものであり、これにより所期の目的を達成するものである。
【発明の効果】
【００１２】
以上のように本発明は、採光部と、採光部の外周を囲むように形成された窓枠を備え、窓枠には、外気を導入する外気導入口から外気を室内に吹出す第一給気口へと外気を流通する給気送風手段と、内気を導入する第一内気導入口から内気を室外に吹出す内気吹出口へと内気を流通する排気送風手段と、給気送風手段により生じる給気流が流通する給気風路と排気送風手段により生じる排気流が流通する排気風路とを顕熱または全熱を交換する熱交換素子と、給気風路内において熱交換素子をバイパスし外気を室内へ吹出す第二給気口と、第一給気口へ繋がる風路と第二給気口へ繋がる風路とを切り替える給気風路切替手段を備えるものであり、熱回収による省エネルギ効果と熱交換形換気装置による年間を通じて消費エネルギの低減を両立する熱交換形換気装置を提供するものである。
【００１３】
すなわち、本発明によれば、給気風路内において熱交換素子をバイパスし外気を室内へ吹出す第二給気口と、第一給気口へ繋がる風路と第二給気口へ繋がる風路とを切り替える給気風路切替手段を備えるので、室内温度と室外温度との温度差が小さく熱回収効果が低い場合、給気風路切替手段を第二給気口側へと切り替えることで、給気送風手段により生じる給気流は熱交換素子をバイパスさせるため送風に必要なファンのエネルギを抑制できるので、結果として、消費エネルギを抑制する熱交換形換気装置を提供することができる。
【００１４】
また、室外温度が室内温度に比べ快適な場合も同様に、給気風路内において熱交換素子をバイパスし外気を室内へ吹出す第二給気口と、第一給気口へ繋がる風路と第二給気口へ繋がる風路とを切り替える給気風路切替手段を備えるので、給気送風手段により生じる給気流は熱交換素子をバイパスさせるため送風に必要なファンのエネルギを抑制できるので、結果として、室内空間を快適にさせつつ消費エネルギを抑制する熱交換形換気装置を提供することができる。
【図面の簡単な説明】
【００１５】
【図１】本発明の実施の形態１にかかる熱交換形換気装置の設置例を示す概略平面図
【図２】同熱交換形換気装置の全体像を示す概略斜視図
【図３】同熱交換形換気装置を示す平面図
【図４】（ａ）同熱交換形換気装置の熱交換運転を示す平面図（ｂ）同熱交換形換気装置の非熱交換運転を示す平面図
【図５】同熱交換形換気装置の室外温度センサと室内温度センサを示す平面図
【図６】同熱交換形換気装置の第二内気導入口と排気ダンパを示す平面図
【図７】同熱交換形換気装置の換気運転を示す平面図
【図８】従来の熱交換形換気装置の断面を示す断面図
【発明を実施するための形態】
【００１６】
以下、本発明の実施の形態を図面に基づいて説明する。ただし、以下に示す実施の形態は、本発明の技術思想を具体化するため例示するものであって、本発明を以下のものに特定しない。また、特許請求の範囲に示される部材を、実施例の部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００１７】
本発明の請求項１記載の熱交換形換気装置は、採光部と、前記採光部の外周を囲むように形成された窓枠を備え、窓枠には、外気を導入する外気導入口から前記外気を室内に吹出す第一給気口へと前記外気を流通する給気送風手段と、内気を導入する第一内気導入口から前記内気を室外に吹出す内気吹出口へと前記内気を流通する排気送風手段と、給気送風手段により生じる給気流が流通する給気風路と排気送風手段により生じる排気流が流通する排気風路とを顕熱または全熱を交換する熱交換素子と、を備えた熱交換形換気装置であって、前記給気風路内において前記熱交換素子をバイパスし外気を室内へ吹出す第二給気口と、前記第一給気口へ繋がる風路と前記第二給気口へ繋がる風路とを切り替える給気風路切替手段を設ける構成を有する。これにより、室内温度と室外温度との温度差が小さく熱回収効果が低い場合、給気風路切替手段を第二給気口側へと切り替えることで、給気送風手段により生じる給気流は熱交換素子をバイパスさせるため送風に必要なファンのエネルギを抑制できる。したがって、熱回収による省エネルギ効果と熱交換形換気装置による年間を通じて消費エネルギの低減を両立することができるという効果を奏する。
【００１８】
また、室外の空気温度を検知する室外温度検知手段と、室内の空気温度を検知する室内温度検知手段と、室外温度検知手段と室内温度検知手段によって検知された温度により給気風路切替手段を切り替える給気制御手段を設ける構成としてもよい。これにより、室内温度検知手段と室外温度検知手段によって検出された数値を基に熱交換形換気装置による熱回収効果と送風に必要なファンの消費エネルギとを比較し、給気制御手段を用いて給気風路切替手段を自動で切り替えることにより省エネルギ効果の高い換気運転を実現できる。したがって、熱回収による省エネルギ効果と熱交換形換気装置による年間を通じた消費エネルギの低減を最適な状況に合わせて実行でき、熱回収による省エネルギ効果と熱交換形換気装置の省エネルギを両立するという効果を奏する。
【００１９】
また、排気風路内において熱交換素子をバイパスし内気を導入する第二内気導入口と、第一内気導入口から繋がる風路と第二内気導入口から繋がる風路とを切り替える排気風路切替手段を設ける構成としてもよい。これにより、室内温度と室外温度との温度差が小さく、熱交換形換気装置による熱回収効果が低い場合、排気風路切替手段を第二内気導入口側へと切り替える。したがって、前記排気送風手段により生じる排気流は前記熱交換素子をバイパスさせるため送風に必要なエネルギをさらに抑制できるので、熱回収による省エネルギ効果と熱交換形換気装置による年間を通じた消費エネルギの低減を両立するという効果を奏する。
【００２０】
また、室外温度検知手段と室内温度検知手段によって検知された温度により排気風路切替手段を切り替える排気制御手段とを設ける構成としてもよい。これにより、室内温度検知手段と室外温度検知手段によって検出された数値を基に熱交換形換気装置による熱回収効果と送風に必要なファンの消費エネルギとを比較し、排気制御手段を用いて、排気風路切替手段を自動で切り替える。この構成により省エネルギ効果の高い換気運転を実現できるので、熱回収による省エネルギ効果と熱交換形換気装置による年間を通じた消費エネルギの低減を最適な状況に合わせて実行でき、熱回収による省エネルギ効果と熱交換形換気装置の省エネルギを両立するという効果を奏する。
【００２１】
また、第二給気口は、第二内気導入口よりも鉛直方向の下側に設ける構成としてもよい。この構成によって、例えば夏場のような室内に熱ごもりが生じた場合に、温かい空気は冷たい空気よりも軽く上昇する性質があるため、給気風路切替手段を第二給気口側へと切り替え、排気風路切替手段を第二内気導入口側へと切り替えることで、室内の暖かい空気が排出され室外の冷たい空気を室内へ吹出すことで、送風に必要なエネルギを抑制しつつ効率的に室内の熱ごもりを解消させつつことができるという効果を奏する。
【００２２】
以下、本発明の実施の形態について図面を参照しながら説明する。
【００２３】
（実施の形態１）
図１において、家の壁面１に窓枠の機能を備えた熱交換形換気装置２と窓ガラス枠３と窓ガラス４（採光部）からなる窓が備えられており、熱交換形換気装置２に熱交換部５が設置されている。図２は、熱交換部５の全熱交換素子８が設けられた箇所を示す概略斜視図である。
【００２４】
室内７の空気（以下、室内空気という）を、破線矢印のごとく、熱交換部５の全熱交換素子８を介して室外６に放出する。
【００２５】
また、室外６の空気（以下、室外空気という）は、実線矢印のごとく、熱交換部５を介して室内７に取り入れる。
【００２６】
そして、この構成により換気を行うとともに、この換気時に、全熱交換素子８により、放出する室内空気の熱を室内７に取り入れる室外空気へと伝達し、不要な熱の放出を抑制しているのである。なお、全熱交換素子８は、伝熱板で積層するように仕切られており、後述する給気風路と排気風路とを１層ずつ交互に積層する構成となっている。
【００２７】
図２に示すように、熱交換部５は、全熱を交換する全熱交換素子８を配置し、排気流として、排気送風手段である排気ファン９を駆動することで、室内空気を第一内気導入口１０から吸い込み、全熱交換素子８、排気ファン９を経由し、内気吹出口１１から室外６へと排出する。なお、前述した室内空気を吸い込む第一内気導入口１０から室外６へ排出する内気吹出口１１までの風路を排気風路とする。
【００２８】
また、給気送風手段である給気ファン１２を駆動することで、給気流として、室外空気を外気導入口１３から吸い込み、給気ファン１２、全熱交換素子８を経由し、第一給気口１４から室内７へと取り入れる構成となっている。なお、前述した室外空気を吸い込む外気導入口１３から室内７へ取り込む第一給気口１４までの風路を給気風路とする。
【００２９】
たとえば、冬季など、室内空間と室外空間の温度差が大きい環境下では、熱交換部５の熱回収効果が高いため、他の空調機器の負荷を抑制することができ、省エネルギ効果を得ることができる。一方、春や秋の中間期シーズンや夏の夜間の場合、室内温度と室外温度との温度差が小さく熱交換部５による熱回収効果が低くなると、熱回収できるエネルギよ
りも室内空気や室外空気を全熱交換素子８に送風するために必要なエネルギの方が高くなり熱交換部５の消費エネルギが増大する課題を有していた。
【００３０】
そこで、本実施の形態では、熱交換部５は図３に示すように、室外６から給気される室外空気が全熱交換素子８をバイパスし、室外空気を室内７へ吹出す第二給気口１５を設けている。また、全熱交換素子８を通過して第一給気口１４へ繋がる風路と第二給気口１５へ繋がる風路とを切り替える給気風路切替手段である給気ダンパ１６を備えた構成となっている。これにより、室内空間と室外空間の温度差が大きく熱交換部５の熱回収効果が高い場合、図４（ａ）に示すように、給気ダンパ１６は熱交換形換気装置２（窓枠）内部にて第二給気口１５を開閉するように設けられており、給気ダンパ１６が第二給気口１５を塞ぐように動作させ全熱交換素子８へ繋がる風路とすることで、従来と同様の全熱交換素子８を利用した熱回収運転を実現し、他の空調の負荷を抑制することができる。また、室内温度と室外温度との温度差が小さく熱回収効果が低い場合、図４（ｂ）に示すように、給気ダンパ１６が第二給気口１５を開口するように動作させ第二給気口１５へ繋がる風路に切り替えることで、導入する室外空気は全熱交換素子８をバイパスできるため給気ファン１２に必要なエネルギを抑制できる。つまり、給気ダンパ１６を全熱交換素子８へ繋がる風路とすると、全熱交換素子８により風路の圧損が起こるため、給気ファン１２の送風能力を高くする必要があり、エネルギを多く消費することになるが、給気ダンパ１６を第二給気口１５へ繋がる風路にすることで、風路の圧損がなくなり、給気ファン１２の送風能力を抑制することができ、給気ダンパ１６を全熱交換素子８へ繋がる風路とする場合に比べ、エネルギ消費を抑制することができるので、消費エネルギを抑制した換気運転を提供することができるという効果を奏する。
【００３１】
なお、給気ダンパ１６を第二給気口１５へ繋がる風路にと切り替えた場合、排気ファン９は停止させてもよい。そうすることで、排気ファンを運転するために必要なエネルギを削減できるので、さらに消費エネルギを抑制した換気運転を提供することができるという効果を奏する。
【００３２】
なお、給気ダンパ１６はモータ駆動により風路を切り替えることができる回転式ダンパを用いるとよく、全熱交換素子８の空気の流れに対して上流側に給気ダンパ１６を備えることで簡単に風路を切り替えることができる。また、回転駆動するモータはステッピングモータを用いるとよい。
【００３３】
また、図５に示すように、室外６の空気温度を検知する室外温度検知手段である室外温度センサ１７を内気導入口近傍に設け、室内７の空気温度を検知する室内温度検知手段である室内温度センサ１８を外気導入口近傍に設けている。室外温度センサ１７と室内温度センサ１８によって検知された温度を基に、熱交換形換気装置の全熱交換素子８がもつ固有の熱交換効率によって計算される熱回収効果と送風に必要なファンの消費エネルギとを比較する給気制御手段を用いて、省エネ効果が高いと判定される風路に給気ダンパ１６を切り替える構成としてもよい。
【００３４】
たとえば、比消費電力が０．４Ｗ／（ｍ３／ｈ）、風量が５０ｍ３／ｈ、熱交換効率６０％の全熱交換素子８を備えた熱交換形換気装置２を想定した場合、１時間あたりのファンの消費エネルギは２０Ｗとなる。また、室内温度と室外温度との温度差が５℃と想定すると、全熱交換素子８による熱回収効果は約５０Ｗとなり、ファンの消費エネルギ以上の熱回収効果が得られるため、給気ダンパ１６を全熱交換素子８へ繋がる風路とした方がよい。また、室内温度と室外温度との温度差が３℃と想定すると、全熱交換素子８による熱回収効果は約１７Ｗとなり、ファンの消費エネルギが熱回収効果を上回るため、給気ダンパ１６を第二給気口１５へ繋がる風路に切り替えるとよい。
【００３５】
以上の構成によって、消費エネルギを抑制した換気運転を提供するという効果を奏する。
【００３６】
また、図６に示すように室内７から全熱交換素子８をバイパスし室内空気を導入するための第二内気導入口１９を設けており、全熱交換素子８に繋がる風路と第二内気導入口１９に繋がる風路とを切り替える排気ダンパ２０を備えた構成としてもよい。これにより、夏場に見られる室内の熱ごもりを解消するために効率的に室外空気を室内７に取り入れ換気したい場合、図７に示すように、給気ダンパ１６を第二給気口１５に繋がる風路へと切り替え、排気ダンパ２０を第二内気導入口１９に繋がる風路へと切り替えることで、導入する室外空気と排出する室内空気は全熱交換素子８をバイパスできるため排気ファン９や給気ファン１２の送風に必要なエネルギを抑制できるので、消費エネルギを抑制した換気運転を提供するという効果を奏する。
【００３７】
なお、例えば夏場、日射の条件や建築の条件などにもよるがエアコンを使用しない場合、室内温度は５０℃近くまで上昇する場合もある。このとき、室内空気を換気することで排熱することができるため、熱ごもりを解消することができる。
【００３８】
また、室外温度センサ１７と室内温度センサ１８によって検知された温度を基に室外温度と室内温度との温度差と風量によって計算される排熱効果と送風に必要なファンの消費エネルギとを比較する排気制御手段を用いて、省エネ効果が高いと判定される風路に排気風路切替手段である排気ダンパ２０を自動で切り替える構成としてもよい。
【００３９】
たとえば、比消費電力が０．４Ｗ／（ｍ３／ｈ）、風量が５０ｍ３／ｈ、熱交換効率６０％の全熱交換素子８を備えた熱交換形換気装置２を想定した場合、１時間あたりのファンの消費エネルギは２０Ｗとなる。また、夏場、室外温度より室内温度が高く温度差が５℃と想定すると、換気による排熱効果は５０Ｗとなり、ファンの消費エネルギ以上の熱回収効果が得られるため、排気ダンパを第二内気導入口１９に繋がる風路へ切り替えるとよい。
【００４０】
以上の構成によって、消費エネルギを抑制した換気運転を提供するという効果を奏する。
【００４１】
なお、このとき、給気ダンパ１６は第二給気口１５へ繋がる風路に切り替えるとよく、そうすることで、風路の圧損がなくなり、給気ファン１２の送風能力を抑制することができ、給気ダンパ１６を全熱交換素子８へ繋がる風路とする場合に比べ、エネルギ消費を抑制することができる。
【００４２】
また、第二給気口１５は、第二内気導入口１９よりも鉛直方向の下側に設ける構成としてもよい。これにより、温かい空気は冷たい空気よりも軽く上昇する性質があるため、給気ダンパ１６を第二給気口１５側へと切り替え、排気ダンパ２０を第二内気導入口１９へと切り替えることで、室内７の暖かい空気を室外６に排出し、室外６の冷たい空気を室内７へ吹出すことで、室内７の熱ごもりを効率的に解消させつつことができるので、空調負荷を抑制させつつ、消費エネルギを抑制する熱交換形換気装置を提供するという効果を奏する。
【００４３】
本実施の形態において、給気ダンパ１６（ステッピングモータ）、排気ダンパ２０（ステッピングモータ）、給気ファン１２及び排気ファン９は図示しない制御部によって動作制御されている。また、図示しない制御部は室外温度センサ１７と室内温度センサ１８から温度情報信号を受信し、前述した動作を行なう。なお、図示しない制御部は、給気制御手段及び排気制御手段として動作する。
【００４４】
なお、本実施の形態では、室内温度センサ１８や室外温度センサ１７は熱交換部５内部に設けることを例示したが、所定の温度を測定できるのであれば、熱交換形換気装置の外側に設けてもよい。
【００４５】
なお、排気ファン９や給気ファン１２を運転するためにＤＣモータを用いたほうが制御しやすく、消費電力も抑制できる。
【００４６】
なお、本実施の形態では全熱交換素子８を対向型と直交型を組み合わせた六角形型としたが、直交型の熱交換素子（図示せず）にも応用できる。
【００４７】
なお、本実施の形態では熱交換素子として、温度と湿度を交換できる全熱交換素子８を例示したが、温度のみ交換できる顕熱交換素子でもよい。
【産業上の利用可能性】
【００４８】
本発明にかかる熱交換形換気装置及び窓は、室内と室外の熱交換を可能とする熱交換形換気装置として有用である。主に建物の窓に用いられることで効果を奏する。
【符号の説明】
【００４９】
１    家の壁面
２    熱交換形換気装置
３    窓ガラス枠
４    窓ガラス
５    熱交換部
６    室外
７    室内
８    全熱交換素子
９    排気ファン
１０    第一内気導入口
１１    内気吹出口
１２    給気ファン
１３    外気導入口
１４    第一給気口
１５    第二給気口
１６    給気ダンパ
１７    室外温度センサ
１８    室内温度センサ
１９    第二内気導入口
２０    排気ダンパ
【図１】
2018124003.tif 000003
【図２】
2018124003.tif 000004
【図３】
2018124003.tif 000005
【図４】
2018124003.tif 000006
【図５】
2018124003.tif 000007
【図６】
2018124003.tif 000008
【図７】
2018124003.tif 000009
【図８】
2018124003.tif 000010